(57)【要約】【課題】各営業拠点において、その時点で仕入価格が最も安い仕入先から転売品を仕入れることを可能にする。【解決手段】各営業拠点のクライアント端末２０は、当該営業拠点が仕入先から仕入れる物品を特定する物品コード及び仕入価格が入力されると、この物品の購入可否をサーバ１０に問合せる。サーバ１０には、各営業拠点がそれぞれ仕入れ先から仕入れた物品の物品コード及び仕入価格のデータを蓄積する転売品マスタファイル１２がある。サーバ１０は、物品購入可否の問合せがあると転売品マスタファイル１２を検索して同一物品の最低仕入価格を取得する。そして、問合せのあった仕入価格よりも最低仕入価格の方が安いときには当該最低仕入価格の仕入先から物品を購入することを指示する回答をし、仕入価格の方が安いときには問合せ元営業拠点の仕入先からの物品購入を許可する回答をする。【選択図】  図３
2005049983.tif 000002
【特許請求の範囲】
【請求項１】
各営業拠点にそれぞれ設置されたクライアント端末と、前記各営業拠点の管理拠点に設置されたサーバとを、ネットワークで接続してなる情報処理システムにおいて、
前記クライアント端末は、
当該端末が設置されている営業拠点が仕入先から仕入れる物品を特定する物品コード及び仕入価格を入力する入力手段と、
この入力手段を介して入力された前記物品の物品コード及び仕入価格を前記サーバに送信して前記管理拠点に当該物品の購入可否を問合せる問合せ手段と、
この問合せに対する前記サーバからの物品購入可否の回答を報知する回答報知手段とを具備し、
前記サーバは、
前記各営業拠点がそれぞれ仕入れ先から仕入れた物品の物品コード及び仕入価格のデータを蓄積するデータ蓄積手段と、
前記クライアント端末から物品購入可否の問合せがあると、その問合せがあった物品の物品コードで前記データ蓄積手段により蓄積されたデータを検索して同一物品の最低仕入価格を取得する最低仕入価格取得手段と、
前記問合せがあった物品の仕入価格と前記同一物品の最低仕入価格とを比較する価格比較手段と、
この価格比較手段による比較の結果、最低仕入価格の方が安いときには当該最低仕入価格の仕入先から物品を購入することを指示する回答を問合せ元のクライアント端末に送信し、仕入価格の方が安いときには当該端末が設置されている営業拠点の仕入先からの物品購入を許可する回答を問合せ元のクライアント端末に送信する回答手段とを具備したことを特徴とする情報処理システム。
【請求項２】
前記サーバは、前記価格比較手段による比較の結果、最低仕入価格よりも問合せのあった仕入価格の方が安いときには、その問合せ元のクライアント端末から受信した物品コード及び仕入価格のデータを前記データ蓄積手段により蓄積されているデータに追加する蓄積データ更新手段をさらに具備したことを特徴とする請求項１記載の情報処理システム。
【発明の詳細な説明】
【０００１】
【発明の属する技術分野】
本発明は、各営業拠点にそれぞれ設置されたクライアント端末と各営業拠点の管理拠点に設置されたサーバとをネットワークで接続し、各営業拠点での転売品の購入を管理拠点にて管理可能とした情報処理システムに関する。
【０００２】
【従来の技術】
例えばＰＯＳ（Ｐｏｉｎｔ  Ｏｆ  Ｓａｌｅｓ）端末を製造し販売する企業体の営業拠点では、顧客にＰＯＳ端末を販売するだけでなく、スキャナやカードリーダ等の周辺機器もＰＯＳ端末と併せて販売するのが一般的である。ここで、周辺機器が他社製品であった場合、各営業拠点ではそれぞれ所定の仕入先から周辺機器を仕入れて顧客に販売する。つまり、周辺機器を転売する。このように、営業拠点が仕入先から仕入れて顧客に販売する商品を転売品と称する。
【０００３】
従来、このような転売品の管理に適した情報処理システムとしては、複数の発注元（営業拠点）から共通の取引先（仕入先）を見つけて発注を統合し、資材（転売品）を調達する資材調達システムがあった（例えば、特許文献１参照）。
【０００４】
【特許文献１】
特開２００１−３２５４９４公報
【０００５】
【発明が解決しようとする課題】
しかしながら、前述した従来技術においては、転売品毎にその転売品の発注を統合する仕入先が予め設定されており、仮に仕入先を変更する場合には、人為的に設定データを変更する必要があった。このため、これまでよりも仕入価格が安い仕入先が新たに見つかった場合には、その仕入先に発注を統合した方が顧客に低価格で転売品を提供できるので都合がよいが、従来技術では仕入先の変更に煩雑なデータ設定作業が強いられていたため、解決が望まれていた。
【０００６】
本発明はこのような事情に基づいてなされたもので、煩雑なデータ設定作業を行なうことなく、各営業拠点においてその時点で仕入価格が最も安い仕入先から転売品を仕入れることを可能にした情報処理システムを提供しようとするものである。
【０００７】
【課題を解決するための手段】
本発明は、各営業拠点にそれぞれ設置されたクライアント端末に、入力手段，問合せ手段及び回答報知手段を設ける。入力手段は、当該端末が設置されている営業拠点が仕入先から仕入れる物品の種類を特定する物品コード及び仕入価格を入力する手段である。問合せ手段は、入力された物品の物品コード及び仕入価格をサーバに送信して管理拠点に当該物品の購入可否を問合せる手段である。回答報知手段は、問合せに対するサーバからの物品購入可否の回答を報知する手段である。また本発明は、各営業拠点の管理拠点に設置され、各クライアント端末とネットワークで接続された前記サーバに、データ蓄積手段，最低仕入価格取得手段，価格比較手段及び回答手段を設ける。データ蓄積手段は、各営業拠点がそれぞれ仕入れ先から仕入れた物品の物品コード及び仕入価格のデータを蓄積する手段である。最低仕入価格取得手段は、クライアント端末から物品購入可否の問合せがあると、問合せがあった物品の物品コードで蓄積データを検索して同一物品の最低仕入価格を取得する手段である。価格比較手段は、問合せがあった物品の仕入価格と同一物品の最低仕入価格とを比較する手段である。応答処理手段は、価格比較手段による比較の結果、最低仕入価格の方が安いときには当該最低仕入価格の仕入先から物品を購入することを指示する回答を問合せ元のクライアント端末に送信し、仕入価格の方が安いときには当該端末が設置されている営業拠点の仕入先からの物品購入を許可する回答を問合せ元のクライアント端末に送信する手段である。
【０００８】
【発明の実施の形態】
以下、本発明の実施の形態を図面を用いて説明する。
なお、この実施の形態は、図１に示すように、例えばＰＯＳ端末等の商品１を製造し販売する企業体の本社２と、製造した商品１や複数の仕入先３Ａ，３Ｂ（図では２つしか示していないが、３つ以上であってもよい）から仕入れた例えばスキャナ，カードリーダ等の転売品を顧客４に販売する複数の支社５Ａ，５Ｂ（図では２社しか示していないが、３社以上あってもよい）との間でサーバ・クライアントモデルによって実現される情報処理システムに、本発明を適用した場合である。各支社５Ａ，５Ｂは、顧客４から発注を受けると、その見積を顧客４に提示する。このとき、発注のなかに転売品が含まれている場合には、その転売品の購入伺いを本社２に対して行ない、本社２からの回答に従って仕入先３Ａ，３Ｂから転売品を仕入れる。そして、顧客４に販売する。ここに、各支社５Ａ，５Ｂは、商品１及び転売品の販売拠点として機能する。また本社２は、各営業拠点の管理拠点として機能する。
【０００９】
図２は本実施の形態における情報処理システムの全体構成図である。本システムは、本社２に設置されたサーバ１０と、各支社５Ａ，５Ｂにそれぞれ設置されたクライアント端末２０とからなる。そして、サーバ１０と各クライアント端末２０とを、ＷＡＮ（Ｗｉｄｅ  Ａｒｅａ  Ｎｅｔｗｏｒｋ）等のネットワーク３０で接続して、本発明の情報処理システムを構築している。
【００１０】
サーバ１０は、ＣＰＵ（Ｃｅｎｔｒａｌ  Ｐｒｏｃｅｓｓｉｎｇ  Ｕｎｉｔ），ＲＯＭ（Ｒｅａｄ  Ｏｎｌｙ  Ｍｅｍｏｒｙ），ＲＡＭ（Ｒａｎｄｏｍ  Ａｃｃｅｓｓ  Ｍｅｍｏｒｙ），Ｉ／Ｏ（Ｉｎｐｕｔ／Ｏｕｔｐｕｔ）ポート等からなる演算処理装置や、ＨＤＤ（Ｈａｒｄ  Ｄｉｓｋ  Ｄｒｉｖｅ）装置等の外部記憶装置や、ＬＡＮボード等のネットワーク接続装置等のハードウェアと、ＯＳ（Ｏｐｅｒａｔｉｎｇ  Ｓｙｓｔｅｍ），アプリケーションプログラム等のソフトウェアとによって構成されるコンピュータ機器である。
【００１１】
各クライアント端末２０も、同様なハードウェア，ソフトウェアによって構成されるコンピュータ機器である。それに加え、各クライアント端末２０は、ハードウェアとして、キーボード，マウス等の入力装置２１及びそのインターフェイス部と、ＣＲＴ，ＬＣＤ等の表示装置２２及びそのインターフェイス部とを備えており、ソフトウェアとしてそのドライバをさらに備えている。
【００１２】
図３はサーバ１０とクライアント端末２０の本発明に関わる要部のブロック構成図である。サーバ１０は、外部記憶装置上に支社マスタファイル１１と転売品マスタファイル１２とを記憶している。また、演算処理装置及び各種のソフトウェアによって転売品購入伺い確認処理部１３及び転売品マスタ更新処理部１４を構成している。さらに、ネットワーク接続装置及びそれに関連するソフトウェアによって通信制御部１５を形成している。
【００１３】
支社マスタファイル１１は、図４に示すように、各支社５Ａ，５Ｂの識別コードである支社コード別にその支社名，地域コード等の支社情報と、その支社５Ａ，５Ｂがそれぞれ取引する各仕入先３Ａ，３Ｂの仕入先コード，仕入先名等の仕入先情報とを記憶したものである。ここで、地域コードは当該支社が設けられている地域を特定するためのコードであって、本実施の形態では、北から１００番台，２００番台，３００番台というように順番に付されているものとする。仕入先コードは各仕入先３Ａ，３Ｂを識別するためのコードであって、本実施の形態では、支社コード「００１」の支社が取引する仕入先のコードが「００１００１」，「００１００２」となり、支社コード「００２」の支社が取引する仕入先のコードが「００２００１」，「００２００２」となるように、仕入先コードから当該仕入先を取引相手とする支社を認識できるようにしている。
【００１４】
転売品マスタファイル１２は、図５に示すように、転売品コード，枝番，商品名，仕入価格，支社コード，仕入先コード等の各項目からなる転売品データを蓄積するものである。転売品コードは、各支社５Ａ，５Ｂが各仕入先３Ａ，３Ｂから仕入れて顧客４に転売する商品、すなわち転売品毎に設定された物品コードである。枝番は、同一転売品コードの転売品データを識別するための符号である。商品名は、転売品の品名である。支社コードは、当該転売品を仕入れる支社５Ａ，５Ｂを識別するコードであり、仕入先コードは、当該転売品の仕入先３Ａ，３Ｂを識別するコードであり、仕入価格は当該転売品を当該支社５Ａ，５Ｂが仕入先３Ａ，３Ｂから購入するときの価格である。ここに、転売品マスタファイル１２は、データ蓄積手段を構成する。
【００１５】
通信制御部１５は、各クライアント端末２０からネットワーク３０を介して送られてくるデータを受信し転売品購入伺い確認処理部１３に与える機能と、転売品購入伺い確認処理部１３から与えられたデータをネットワーク３０を介して各クライアント端末２０に選択的に送信する機能とを有する。
【００１６】
転売品購入伺い確認処理部１３は、クライアント端末２０から転売品購入可否の問合せがあると、その問合せがあった転売品コード（物品コード）で転売品マスタファイル１２に蓄積されたデータを検索して同一転売品の最低仕入価格を取得する最低仕入価格取得手段としての機能と、問合せがあった物品の仕入価格と同一物品の最低仕入価格とを比較する価格比較手段としての機能と、この比較の結果、最低仕入価格の方が安いときには当該最低仕入価格の仕入先から物品を購入することを指示する回答を問合せ元のクライアント端末２０に送信し、仕入価格の方が安いときには当該端末２０が設置されている支社５Ａ，５Ｂの仕入先３Ａ，３Ｂからの転売品の購入を許可する回答を問合せ元のクライアント端末２０に送信する応答処理手段としての機能とを有する。
【００１７】
転売品マスタ更新処理部１４は、価格比較手段による比較の結果、最低仕入価格よりも問合せのあった仕入価格の方が安いときには、その問合せ元のクライアント端末２０から受信した転売品コード及び仕入価格のデータを転売品マスタファイル１２に追加する蓄積データ更新手段としての機能を有する。
【００１８】
なお、転売品購入伺い確認処理部１３及び転売品マスタ更新処理部１４の詳細については後述する。
【００１９】
クライアント端末２０は、演算処理装置及び各種のソフトウェアによって転売品購入伺い処理部２３を構成している。また、ＲＯＭ及びＲＡＭによって記憶部２４を形成している。また、ネットワーク接続装置及びそれに関連するソフトウェアによって通信制御部２５を形成している。さらに、入力装置インターフェイス部及びそのドライバによって入力制御部２６を形成し、表示装置インターフェイス部及びそのドライバによって表示制御部２７を形成している。
【００２０】
入力制御部２６は、インターフェイス部に接続された入力装置（キーボード，マウス等）２１を制御し、入力データを取込んで転売品購入伺い処理部２３に与える。表示制御部２７は、インターフェイス部に接続された表示装置２２を制御して、転売品購入伺い処理部２３を介して与えられる表示データをその画面に表示させる。
【００２１】
通信制御部２５は、転売品購入伺い処理部２３から与えられたデータをサーバ１０にネットワーク３０を介して送信する機能と、サーバ１０からネットワーク３０を介して送られてくるデータを受信し転売品購入伺い処理部２３に与える機能とを有する。
【００２２】
転売品購入伺い処理部２３は、当該クライアント端末２０が設置されている支社（営業拠点）５Ａ，５Ｂが仕入先３Ａ，３Ｂから仕入れる転売品の種類を特定する転売品コード（物品コード）及び仕入価格を入力する入力手段を支援する機能と、入力された転売品の転売品コード及び仕入価格をサーバ１０に送信して本社２（管理拠点）に当該物品の購入可否を問合せる問合せ手段としての機能と、この問合せに対するサーバ１０からの物品購入可否の回答を報知する回答報知手段としての機能とを有する。
【００２３】
具体的には、転売品購入伺い処理部２３は、入力装置２１からの入力により転売品購入伺い業務の起動が指令されると、図６の流れ図に示す手順の処理を開始する。先ず、ＳＴ（ステップ）１として表示制御部２７を制御して、表示装置２２に仕入先から仕入れる転売品の転売品コード及びその仕入価格の入力をオペレータに促す転売品購入伺い画面４０を表示させる（入力支援手段）。
【００２４】
図８は、転売品購入伺い画面４０の一例である。この画面４０には、少なくとも自社コード欄４１、作成日付欄４２、担当者コード欄４３、仕入先コード欄４４、転売品コード欄４５、仕入価格欄４６及び品名欄４７と、検索ボタン４８と、閉じるボタン４９とが設けられている。
【００２５】
そして、自社コード欄４１には、当該クライアント端末２０が設けられている支社５Ａ，５Ｂの支社コードが自動的に表示される。なお、支社コードは、記憶部２４に予め設定されている。作成日付欄４２には、当該クライアント端末２０が有する時計機能により現在の日付が自動的に表示される。
【００２６】
担当者コード欄４３には、オペレータによって自身のＩＤである担当者コードが手動入力される。なお、各担当者の担当者コードを格納した担当者テーブルが記憶部２４に予め設定されており、担当者コード欄４３にはこの担当者テーブルに格納された担当者コード群がプルダウン表示されるようになっていて、プルダウン表示された担当者コード群のなかからいずれかの担当者コードを選択すると、その担当者コードが担当者コード欄４３に入力される。
【００２７】
仕入先コード欄４４には、転売品を仕入れる仕入先３Ａ，３Ｂの仕入先コードが手動入力される。なお、当該支社が取引する全仕入先の仕入先コードを格納した仕入先テーブルが記憶部２４に設定されており、仕入先コード欄４４にはこの仕入先テーブルに格納された仕入先コード群がプルダウン表示されるようになっていて、プルダウン表示された仕入先コード群のなかからいずれかの仕入先コードを選択すると、その仕入先コードが仕入先コード欄４４に入力される。
【００２８】
転売品コード欄４５には、各仕入先３Ａ，３Ｂから仕入れて顧客４に転売する転売品の転売品コードが手動入力され、仕入価格欄４６には、その転売品の仕入価格が手動入力され、品名欄４７には、その転売品の商品名が表示される。なお、各種転売品の転売品コードと商品名とを格納した転売品テーブルが記憶部２４に設定されており、転売品コード欄４５にはこの転売品テーブルに格納された転売品コード群がプルダウン表示されるようになっていて、入力装置２１の操作によりプルダウン表示された転売品コード群のなかからいずれかの転売品コードを選択すると、その転売品コードが転売品コード欄４５に入力されるとともに、品名欄４７にその転売品コードに対応した商品名が自動的に表示される。また、入力装置２１の操作により仕入価格欄４６を選択して数値データを置数するとその数値データが仕入価格として仕入価格欄４６に表示される。ここに、入力装置２１は物品コード（転売品コード）及び仕入価格の入力手段として機能する。
【００２９】
転売品購入伺い処理部２３は、転売品購入伺い画面４０を表示させると、ＳＴ２及びＳＴ３としてその画面４０の検索ボタン４８または閉じるボタン４９が入力されるのを待機する。ここで、入力装置２１の操作により検索ボタン４８が入力されたことを検知すると、転売品購入伺い処理部２３は、ＳＴ４として転売品の購入伺いに必要な項目、つまりは転売品コード，仕入先コード及び仕入価格の各データが転売品購入伺い画面４０に入力されているか否かを判断する。そして、入力されていない場合には、検索ボタン３８の入力を無視する。
【００３０】
これに対し、転売品の購入伺いに必要な項目の各データが入力されていた場合には、転売品購入伺い処理部２３は、ＳＴ５として転売品購入伺い画面４０の自社コード欄４１に表示されている支社コードと、仕入先コード欄４４に表示されている仕入先コードと、転売品コード欄４５に表示されている転売品コードと、仕入価格欄４６に表示されている仕入価格と、品名欄４７に表示されている転売品の商品名とを含む転売品購入伺いデータを作成し、このデータを通信制御部２５に与えて、サーバ１０への問合せを指令する（問合せ手段）。
【００３１】
これにより、当該転売品購入伺いデータを含む問合せ伝文がネットワーク３０を介してサーバ１０に送信されるので、転売品購入伺い処理部２３は、ＳＴ６としてこの問い合わせに対する回答を待機する。
【００３２】
一方、上記問合せ伝文を受信したサーバ１０の通信制御部１５は、問合せ伝文中の転売品購入伺いデータを転売品購入伺い確認処理部１３に与える。これにより、転売品購入伺い確認処理部１３は、図７の流れ図に示す処理を実行する。
【００３３】
すなわち転売品購入伺い確認処理部１３は、ＳＴ１１として通信制御部１５から転売品購入伺いデータを取込んだことを検知すると、ＳＴ１２として転売品マスタファイル１２を検索して、その転売品購入伺いデータと転売品コードが一致する転売品データの有無を判断する。そして、ＳＴ１３として該当する転売品データが有ることを確認した場合には、転売品購入伺い確認処理部１３は、ＳＴ１４として該当する転売品データのなかで仕入価格が最低の転売品データを取得する（最低仕入価格取得手段）。
【００３４】
ここで、ＳＴ１５として仕入価格が最低の転売品データが複数存在する場合には、転売品購入伺い確認処理部１３は、ＳＴ１６として転売品購入伺いデータの支社コードに対応する地域コードと、最低仕入価格の各転売品データの支社コードに対応する地域コードとをそれぞれ支社マスタファイル１１から読出し照合して、転売品購入伺いデータ送信元の支社に最も距離が近い支社が仕入先となっている転売品データを選択する。
【００３５】
次に、転売品購入伺い確認処理部１３は、ＳＴ１７として転売品マスタファイル１２から取得した転売品データの最低仕入価格Ａと、転売品購入伺いデータの仕入価格Ｂとを比較する（価格比較手段）。
【００３６】
その結果、ＳＴ１８として最低仕入価格Ａが仕入価格Ｂより小さい（安い）場合には、転売品購入伺い確認処理部１３は、ＳＴ１９としてこの最低仕入価格Ａの転売品データの支社コードに対応する支社名と、同転売品データの仕入先コードに対応する仕入先名とを支社マスタファイル１１から読み出す。そして、同転売品データの転売品コード，商品名，支社コード，仕入先コード及び仕入価格と、支社マスタファイル１１から読み出した支社名及び仕入先名とから、他支社仕入先からの購入を指示する回答データを作成し、このデータを通信制御部１５に与えて、問合せ元であるクライアント端末２０への送信を指令する（回答手段）。
【００３７】
これに対し、ＳＴ１８として最低仕入価格Ａが仕入価格Ｂ以上の場合、若しくはＳＴ１３として転売品購入伺いデータと転売品コードが一致する転売品データが転売品マスタファイル１２に無いことを確認した場合には、転売品購入伺い確認処理部１３は、ＳＴ２０として転売品購入伺いデータの支社コードに対応する支社名と、同転売品購入伺いデータの仕入先コードに対応する仕入先名とを支社マスタファイル１１から読み出す。そして、同転売品購入伺いデータの転売品コード，商品名，支社コード，仕入先コード及び仕入価格と、支社マスタファイル１１から読み出した支社名及び仕入先名とから、自社仕入先からの購入を指示する回答データを作成し、このデータを通信制御部１５に与えて、問合せ元であるクライアント端末２０への送信を指令する（回答手段）。また、転売品購入伺い確認処理部１３は、ＳＴ２１として転売品購入伺いデータを転売品マスタ更新処理部１４に与えて、転売品マスタファイル１２の更新を指令する。
【００３８】
これにより、転売品マスタ更新処理部１４は、転売品購入伺いデータの転売品コード，商品名，仕入価格，支社コード及び仕入先コード等で転売品データを作成する。このとき、転売品マスタファイル１２に同一転売品コードの転売品データが保存されていない場合には、新たに作成した転売品データの枝番を“１”とする。これに対し、既に保存されている場合には、そのなかの最大枝番に“１”を加算した値を新たに作成した転売品データの枝番とする。しかして、転売品マスタ更新処理部１４は、当該転売品データを転売品マスタファイル１２に追加する（蓄積データ更新手段）。
【００３９】
通信制御部１５は、転売品購入伺い確認処理部１３から与えられた回答データを問合せ元のクライアント端末２０にネットワーク３０を介して送信する。
【００４０】
一方、上記回答データを受信したクライアント端末２０の通信制御部２５は、その回答データを転売品購入伺い処理部２３に与える。これにより、転売品購入伺い処理部２３は、図６のＳＴ７として表示装置２２に転売品購入回答画面５０を表示させ、この画面５０に物品購入可否問合せに対する回答を表示させる（報知手段）。
【００４１】
図９は、転売品購入回答画面５０の一例である。この画面５０には、少なくとも転売品コード欄５１、品名欄５２、購入支社コード欄５３、購入支社名欄５４、仕入先コード欄５５、仕入先名欄５６及び仕入価格欄５７と、確認ボタン５８とが設けられている。
【００４２】
そして、各欄５１〜５７には回答データ中の転売品コード，商品名，支社コード，支社名，仕入先コード，仕入先名及び仕入価格が自動的に表示される。したがって、回答データが他支社仕入先からの購入を指示するデータであった場合には、その他支社の支社コード及び支社名と、その他支社が当該転売品を取引する仕入先の仕入先コード及び仕入先名と仕入先価格とが自動的に表示される。つまり、問合せをした仕入先からの購入が否定される。これに対し、回答データが自社仕入先からの購入を指示するデータであった場合には、自社の支社コード及び支社名と、自社が当該転売品を取引する仕入先の仕入先コード及び仕入先名と仕入先価格とが自動的に表示される。つまり、問合せをした仕入先からの購入が認可される。
【００４３】
転売品購入伺い処理部２３は、転売品購入回答画面５０を表示させると、ＳＴ８として確認ボタン５８が入力されるのを待機する。そして、入力装置２１の操作により確認ボタン５８が入力されたことを検知すると、転売品購入伺い処理部２３は、ＳＴ９として転売品購入回答画面５０の各欄５１〜５７に表示されている各データを転売品購入回答データとして記憶部２４に記憶した後、表示装置２２の画面を転売品購入伺い画面４０に戻して、検索ボタン４８または閉じるボタン４９が入力されるのを待機する。ここで、閉じるボタン４９が入力されたならば、ＳＴ１０として転売品購入伺い画面４０を消去して、この処理を終了する。
【００４４】
このように、本実施の形態においては、各支社５Ａ，５Ｂの営業担当者は、顧客４の発注のなかに転売品があると、その転売品の購入伺いを本社２に対して行なう。例えば今、支社５Ａの営業担当者が顧客４からの発注を受け、その中に転売品があると、営業担当者はクライアント端末２０の入力装置２１を操作して転売品購入伺い業務の起動を指令する。すると、クライアント端末２０の表示装置２２に転売品購入伺い画面４０が表示されるので、営業担当者は、その転売品の転売品コードと、当該支社５Ａの取引先の中で当該転売品を仕入れることができる仕入先、例えば仕入先３Ａの仕入先コード及び仕入価格とを入力する。そして、検索ボタン４８を操作入力する。すると、この転売品購入伺い画面４０から入力された転売品コード，仕入先コード，仕入価格等からなる転売品購入伺いデータが、ネットワーク３０を介して本社２のサーバ１０に送信される。
【００４５】
これにより、サーバ１０においては、転売品マスタファイル１２が検索されて、同一転売品のデータで仕入価格が最低のデータが検出される。そして、この点売品データの最低仕入価格Ａと当該転売品購入伺いデータの仕入価格Ｂとが比較される。その結果、最低仕入価格Ａの方が仕入価格Ｂよりも安いときには、この最低仕入価格Ａと、この最低仕入価格Ａで仕入可能な仕入先、例えば仕入先３Ｂの仕入先コードと、この仕入先３Ｂを取引相手とする支社、例えば支社５Ｂの支社コードとを含む回答データが作成され、ネットワーク３０を介して問合せ元のクライアント端末２０、つまりは支社５Ａのクライアント端末２０に送信される。これにより、当該クライアント端末２０の表示装置２２には、転売品購入回答画面５０として回答データ中の支社コード及びその支社５Ｂの支社名と、仕入先コード及びその仕入先３Ｂの仕入先名と、最低仕入価格Ａとが表示される。従って、支社５Ａの営業担当者は、転売品購入回答画面５０の内容から、当該転売品については、支社５Ｂの取引相手である仕入先３Ｂから仕入れた方が顧客４に安い価格で転売品を販売できることがわかる。
【００４６】
一方、サーバ１０において、最低仕入価格Ａと仕入価格Ｂとを比較した結果、同額若しくは仕入価格Ｂの方が安いときには、この仕入価格Ｂと、この仕入価格Ｂで仕入可能な仕入先、つまり仕入先３Ａの仕入先コードと、この仕入先３Ａを取引相手とする支社、つまり支社５Ａの支社コードとを含む回答データが作成され、ネットワーク３０を介して問合せ元のクライアント端末２０、つまりは支社５Ａのクライアント端末２０に送信される。これにより、当該クライアント端末２０の表示装置２２には、転売品購入回答画面５０として回答データ中の支社コード及びその支社５Ａの支社名と、仕入先コード及びその仕入先３Ａの仕入先名と、仕入価格Ｂとが表示される。従って、支社５Ａの営業担当者は、転売品購入回答画面５０の内容から、当該転売品については、自社５Ａの取引相手である仕入先３Ａから仕入れてよいことがわかる。
【００４７】
そしてこのとき、サーバ１０においては、当該転売品コードの転売品データとして、支社５Ａの支社コードと、仕入先３Ａの仕入先コードと、仕入価格Ｂ等を含むデータが作成され、転売品マスタファイル１２に追加される。従って、この後、例えば支社５Ｂの営業担当者が同一転売品の購入伺いとして仕入価格Ｂよりも高い価格で購入伺いを本社２にたてたときには、支社５Ａの取引相手である仕入先３Ａから仕入れることを指示する回答が得られることになる。その結果、各転売品は、それぞれ最低仕入価格の仕入先から仕入れて転売するように統合されるので、さらなる価格低下が期待できる。この場合において、サーバ１０を管理する本社２の管理者側も煩雑なデータ設定作業を何等必要としないので、効率的である。
【００４８】
なお、図示した転売品購入伺い画面４０及び転売品購入回答画面５０は、あくまでも一実施の形態であり、本発明の要旨を逸脱しない範囲で種々変形実施が可能であるのは言うまでもないことである。
【００４９】
【発明の効果】
以上詳述したように本発明によれば、煩雑なデータ設定作業を行なうことなく、各営業拠点においてその時点で仕入価格が最も安い仕入先から転売品を仕入れることを可能にした情報処理システムを提供できる。
【図面の簡単な説明】
【図１】本発明の一実施の形態の概略を説明するのに用いる模式図。
【図２】同実施の形態における情報処理システムの全体構成を示す模式図。
【図３】同実施の形態におけるサーバ及びクライアント端末の要部構成を示すブロック図。
【図４】同実施の形態においてサーバが有する支社マスタファイルのデータ構造を示す模式図。
【図５】同実施の形態においてサーバが有する転売品マスタファイルのデータ構造を示す模式図。
【図６】同実施の形態においてクライアント端末が有する転売品購入伺い処理部の要部処理手順を示す流れ図。
【図７】同実施の形態においてサーバが有する転売品購入伺い確認処理部の要部処理手順を示す流れ図。
【図８】同実施の形態においてクライアント端末の表示装置に表示される転売品購入伺い画面の一例を示す模式図。
【図９】同実施の形態においてクライアント端末の表示装置に表示される転売品購入回答画面の一例を示す模式図。
【符号の説明】
１０…サーバ、１１…支社マスタファイル、１２…転売品マスタファイル、１３…転売品購入伺い確認処理部、１４…転売品マスタ更新処理部、１５…通信制御部、２０…クライアント端末、２１…入力装置、２２…表示装置、２３…転売品購入伺い処理部、２４…記憶部、２５…通信処理部、２６…入力制御部、２７…表示制御部、３０…ネットワーク、４０…転売品購入伺い画面、５０…転売品購入回答画面。
【図１】
2005049983.tif 000003
【図２】
2005049983.tif 000004
【図３】
2005049983.tif 000005
【図４】
2005049983.tif 000006
【図５】
2005049983.tif 000007
【図６】
2005049983.tif 000008
【図７】
2005049983.tif 000009
【図８】
2005049983.tif 000010
【図９】
2005049983.tif 000011